(57)【特許請求の範囲】
【請求項１】
冷蔵庫本体の底部に設けられ、冷媒の吐出管及び吸入管が接続された圧縮機が設置される機械室台板を有し、
該機械室台板は、凹状でほぼ平坦な底面に切起こしにより前記圧縮機を取付ける複数の支持部が設けられ、該支持部及び該支持部を切起こしたあとの穴を囲んで周囲ビードが形成され、
前記圧縮機に接続された吸入管に下方に折曲げたターン部を設け、前記圧縮機を機械室台板上に設置したときに、前記ターン部が前記周囲ビードで囲まれた領域の外に位置するように構成し、
前記周囲ビードを、前記機械室台板の底面の４箇所に四角形となるように設け、
前記底面の幅方向の両端部に後脚を形成する凹部が設けられており、
前記機械室台板の底面に設けた前後方向の周囲ビードの間に、幅方向に延設されて両端部が前記後脚を形成する凹部に臨む横ビードを設けた
ことを特徴とする冷蔵庫。
【請求項２】
前記機械室台板の底面に設けられた切り起こしによって形成された支持部に代えて、前記底面に設けた複数の穴にそれぞれスタッド状の部材の下部を挿入固定して支持部を形成し、該支持部の囲りに周囲ビードを設けたことを特徴とする請求項１記載の冷蔵庫。
【請求項３】
前記周囲ビードの高さを１〜１０ｍｍ程度としたことを特徴とする請求項１又は請求項２に記載の冷蔵庫。
【請求項４】
前記圧縮機に接続された吸入管のターン部が、角形ターン部であることを特徴とする請求項１〜請求項３のいずれか一項に記載の冷蔵庫。
【請求項５】
前記吸入管の角形ターン部を、前記吸入管を横方向にほぼ９０°折曲げた第１の折曲げ部と、該第１の折曲げ部に連続する直線部と、該直線部に連続して上方にほぼ９０°折曲げた第２の折曲げ部とによって形成したことを特徴とする請求項４記載の冷蔵庫。
【請求項６】
前記角形ターン部は、前記圧縮機を機械室台板上に設置したときに該機械室台板の前後の周壁の内側に位置することを特徴とする請求項４又は請求項５記載の冷蔵庫。
【発明の詳細な説明】
【技術分野】
【０００１】
本発明は、冷蔵庫に係り、より詳しくは、圧縮機等を搭載するために、冷蔵庫底部の機械室に設置される機械室台板に関するものである。
【背景技術】
【０００２】
従来の冷蔵庫に、図５に示すようなものがある。この冷蔵庫は、冷蔵庫本体１０１の背面側の底部に、プレス加工によって成形された金属製の板状部材からなる機械室台板１０２が設けられており、この機械室台板１０２上に圧縮機１１０が搭載されている。
この圧縮機１１０に、冷媒回路を循環した冷媒が戻る吸入管１１１には、戻る冷媒が多くその上外気より低温の場合などにおいては結露を生じることがあり、そのため、吸入管１１１には水滴を落下させるための下方にＵ字状に折曲げられたＵ字形ターン１１２が設けられている。
【０００３】
そして、このＵ字形ターン１１２に付着した露は、機械室台板１０２に設けられた冷蔵庫本体１０１の後脚を形成する凹部１０３の近傍に落下し、凹部１０３内に溜って蒸発するようになっている。
【０００４】
また、冷蔵庫の機械室台に、両端部に設けたキャスタの周囲に、キャスタの軸方向と平行な補強ビードを形成すると共に、圧縮機の支持具が接地する部分を支持具より若干幅広の凹状に形成し、さらに底面コンデンサのためのダクトの後方フランジと、冷蔵庫本体の底面とによりシール構造になるように、機械室台の前端部を凸状にビード成形したものがある（例えば、特許文献１参照）。
【０００５】
また、空調装置室外機において、ベース部材の曲りや反りなどの変形を防止するために、左右方向及び前後方向に延びる複数の凸条やこの凸条と同じ高さの据付け座が設けられ、また、これら凸条、据付け座、縁枠などの相互間に水路を形成する溝を設けて、溝の所定箇所にドレン排水用の穴を設けたものがある（例えば、特許文献２参照）。
【先行技術文献】
【特許文献】
【０００６】
【特許文献１】特開２０００−８８４３５号公報（第３−４頁、図１）
【特許文献２】実用新案登録第３０６９８６９号公報（第７−８頁、図１）
【発明の概要】
【発明が解決しようとする課題】
【０００７】
図５で説明した従来の冷蔵庫は、圧縮機１１０に冷媒を戻す吸入管１１１は、圧縮機１１０等の電気部品や配線に接触しないためや、これらの組立作業を容易にするために、さらには、吸入管１１１の固有振動数が電源の周波数に近い場合に、これらに対応して露落し用のＵ字状ターン１１２をＵ字状でない形状に折曲げられることがあり、また、Ｕ字状であってもその頂点が機械室台板１０２に設けた凹部１０３の近傍にない場合は、露落し用の折曲げ部やＵ字状ターン１１２に付着した水滴が、圧縮機１０１の支持部１１２を切り起こしたあとの穴１１３から床に落ちるおそれがあった。
【０００８】
特許文献１の機械室台は、キャスタの周囲に軸方向と平行な補強用ビードが設けられているため強度は大であるが、圧縮機を支持する支持具の接地部分が支持具より幅広で凹状に形成されているため、この部分に水が溜って床に落下するおそれがある。
また、機械室台を切り起こして圧縮機を支持する支持具を形成した場合は、支持具を切り起こしたあとの穴から水が落下するおそれがある。
【０００９】
特許文献２の空調装置室外機は、ベース部材の強度を増すために、左右方向及び前後方向に延びる複数の凸条や凸条と同じ高さの据付け座が設けられており、また、これら凸条、据付け座、縁枠などの相互間水路を形成する溝が設けられていて、溝の所定箇所に設けたドレン排水用の穴から水を排出する構造になっているので、多量の水を排出できる屋外での使用に限られ、冷蔵庫の機械室台板として使用することはできなかった。
【００１０】
本発明は、上記の課題を解決するためになされたもので、圧縮機の吸入管に生じた結露が落下しても、圧縮機の支持部を切起こしで形成したあとの穴などから、水滴が床上に落下することのない機械室台板を備えた冷蔵庫を提供することを目的とするものである。
【課題を解決するための手段】
【００１１】
本発明に係る冷蔵庫は、冷蔵庫本体の底部に設けられ、冷媒の吐出管及び吸入管が接続された圧縮機が設置される機械室台板を有し、
該機械室台板は、凹状でほぼ平坦な底面に切起こしにより前記圧縮機を取付ける複数の支持部が設けられ、該支持部及び該支持部を切起こしたあとの穴を囲んで周囲ビードが形成され、
前記圧縮機に接続された吸入管に下方に折曲げたターン部を設け、前記圧縮機を機械室台板上に設置したときに、前記ターン部が前記周囲ビードで囲まれた領域の外に位置するように構成し、
前記周囲ビードを、前記機械室台板の底面の４箇所に四角形となるように設け、
前記底面の幅方向の両端部に後脚を形成する凹部が設けられており、
前記機械室台板の底面に設けた前後方向の周囲ビードの間に、幅方向に延設されて両端部が前記後脚を形成する凹部に臨む横ビードを設けたものである。
【発明の効果】
【００１２】
本発明によれば、吸入管に生じた結露がターン部から機械室台板上に落下した水滴は、床面上を流れて脚部を形成した凹部内に溜り、また、結露が多い場合は凹部及び床面上に水が溜ることがあるが、いずれの場合でも支持部及び支持部の切起こした穴の囲りには周囲ビードが設けられているので、この穴から床面に水が落下することはない。
【図面の簡単な説明】
【００１３】
【図１】本発明の実施の形態１に係る冷蔵庫の機械室台板及び圧縮機の斜視説明図である。
【図２】図１の機械室台板の斜視図である。
【図３】実施の形態１に係る冷蔵庫の冷蔵庫本体の要部を示す背面図である。
【図４】本発明の実施の形態２に係る冷蔵庫の機械室台板の斜視図である。
【図５】従来の冷蔵庫の要部を示す背面図である。
【発明を実施するための形態】
【００１４】
［実施の形態１］
図１は本発明の実施の形態１に係る冷蔵庫の機械室台板及び圧縮機の斜視説明図、図２は図１の機械室台板の斜視図、図３は冷蔵庫本体の要部を示す背面図である。
図３に示すように、冷蔵庫本体１の背面側下部の機械室２の底部には、プレス加工によって形成された金属製の板状部材からなる機械室台板３が設置されており、この機械室台板３上には圧縮機２０が搭載されている。そして、この機械室台板３は、その左右において下方に突設されて形成された冷蔵庫本体１の後脚４により、直接床面に当接している。
【００１５】
圧縮機２０は一方の側（背面側からみて右側）に、圧縮された冷媒が冷媒回路に送られる吐出管２１が設けられており、他方の側（左側）には冷媒回路を循環した冷媒が、圧縮機２０に戻る吸入管２２が設けられている。
また、圧縮機２０の吸入管２２側には、圧縮機２０の電気部品収納部２４が設けられ、冷蔵庫の運転基板等の運転用の電気部品収納部２５と配線により接続されており、さらに、運転用の電気部品収納部２５には、電源コードへの接続線２６が接続されている。
【００１６】
また、圧縮機２０の上方には、冷蔵庫本体１から霜取り後のドレン排水が排出されるドレンパイプ１５が突出しており、ドレンパイプ１５から排出されたドレン排水は、冷蔵庫本体１に設けた蒸発皿１６内に流入し、圧縮機２０の熱により蒸発するようになっている。
【００１７】
図１に示すように、機械室台板３には４箇所に圧縮機２０の支持部８が切り起こしにより形成されており、圧縮機２０は支持部８に嵌合した圧縮機用脚ゴム２８を介して機械室台板３上に載置され、圧縮機固定具２７により支持部８に固定される。
また、前述のように、圧縮機２０には吐出管２１及び吸入管２２が設けられて冷蔵庫本体１内の冷媒回路に接続されており、吸入管２２には下方に向ってほぼ角状に折曲げられた露落しのためのターン部２３が設けられている。
【００１８】
このターン部２３は、前述のように露を落す場所を特定し易くするため、一般にＵ字形ターンである場合が多いが、本発明においては、圧縮機２０の電気部品収納部２４や運転用の電気部品収納部２５と、これらを接続する配線、電源コードへの接続線２６などとにターン部を接触させないため、また、これら電気部品や配線の組立作業を容易にするために、吸入管２２に設けた露落し用のターン部２３は、Ｕ字状ではなく、横方向（圧縮機２０側）にほぼ９０°に折曲げられた第１の折曲げ部２３ａと、この第１の折曲げ部２３ａに連続するほぼ水平な直線部２３ｂを介して上方にほぼ９０°に折曲げた第２の折曲げ部２３ｃとにより、ほぼ角状に形成されている（以下、このターン部２３を角形ターン部という）。
【００１９】
また、機械室台板３は、図２に示すように、前面側周壁５と後面側周壁６との間には凹状で平坦な底面７が形成されており、その両端部には脚部４を形成する凹部４ａが設けられている。そして、底面７には圧縮機２０を支持する４本の支持部８が四角形を形成するように設けられており、この支持部８と支持部８を切起こした穴９との周辺にはこれらをとり囲む断面が例えば凸状で、高さが１〜１０ｍｍ程度のビード１０（以下、周囲ビードという）が設けられている。
【００２０】
さらに、底面７の前後の周囲ビード１０の間には、左右方向に延びるビード１１（以下、横ビードという）が設けられており、その両端部は脚部４を形成する凹部４ａに臨んでいる。なお、図には２本の横ビード１１を設けた場合を示したが１本でもよい。
そして、圧縮機２０を圧縮機台板３上に取付けたときは圧縮機２０の吸入管２２に設けた角形ターン部２３は、後脚４を形成する一方の凹部４ａ（図の左側）の近傍で４箇所の周囲ビード１０で囲まれた領域の外に位置する。
【００２１】
次に、上記のように構成した本実施の形態の作用を説明する。
前述のように冷媒回路に冷媒が多めに封入され、その上外気より低温になった場合は吸入管２２に結露することがある。この結露した水滴は、吸入管２２の角形ターン部２３から落下し、前後の周囲ビード１０の間に設けられた横ビード１１に沿って床面７上を流れ、脚部４を形成する凹部４ａ内に流入して溜り、外気や圧縮機２０の熱によって蒸発する。
【００２２】
このような本実施の形態においては、吸入管２２に結露した水滴が角形ターン部２３から落下しても、角形ターン部２３は４箇所の周囲ビード１０に囲まれた領域の外にあるため、支持部８を切り起こしたあとの穴８から水滴が床上に落下することはない。
【００２３】
また、吸入管２２の角形ターン部２３の直線部２３ｂが水平ではなく傾斜している場合などで、角形ターン部２３の折曲げ部２３ａ又は２３ｃが凹部４ａの近傍にない場合でも、角形ターン部２３は周囲ビード１０で囲まれた領域の外にあるため、これから落下した水滴は横ビード１１に沿って床面７上を流れて凹部４ａに流入するので、水滴が支持部８を切り起こしたあとの穴９から床上に落下することはない。
【００２４】
さらに、吸入管２２の固有振動数が電源の周波数に近い場合は、共振やビビリなどによる経年変化で配管が破損するおそれがあり、このような問題の発生を防止するために、通常、吸入管２２の形状を変えたり、圧縮機２０との間に挿入する脚ゴムを追加したりして、吸入管２２の固有振動数を変えている。
【００２５】
本実施の形態においては、このような場合でも吸入管２２にはＵ字状ではなく角形ターン部２３を設けているが、角形ターン部２３は４箇所の周囲ビード１０で囲まれた領域の外において底面７上に位置するので、角形ターン部２３から落下した水滴が、支持部８を切り起こしたあとの穴９から床上に落下することはない。
【００２６】
また、前述のように、霜取り後のドレン排水は、蒸発皿１６に溜って圧縮機２０の熱によって蒸発するようになっているが、例えば、冷蔵庫の扉の閉め忘れなどにより、冷却器に多量の霜がついてドレン排水が通常より多くなると、蒸発皿１６からあふれて機械室台板３上に落下することがある。このような場合、ドレン排水は脚部４を形成する凹部４ａや底面７に溜るが、底面７の４箇所に設けた圧縮機２０の支持部８を切り起こした穴９の周囲は、周囲ビード１０で囲まれているので、閉め忘れた扉を閉めるまでの間に、ドレン排水が穴９から流出することはない。
【００２７】
この場合、蒸発皿１６内のドレン排水を、ファンの風や吐出管２１の熱などにより蒸発させる構造であっても、蒸発皿１６からあふれたドレン排水が機械室台板３の後脚４を形成する凹部４ａや底面７に溜る構造であれば、同様の効果を奏することができる。
【００２８】
さらに、引越しなどのため蒸発皿１６を外した際に、設置時に蒸発皿１６の取付けを忘れると、霜取り後のドレン排水が高温の圧縮機２０の上に落ちてジュージュー音が発生するため、蒸発皿１６が取付けてないことに気付いて取付けるようなことがある。また、霜の付き方によってドレン排水の落下にバラツキがあるため、数回のドレン排水の落下により蒸発皿１６が取付けてないことに気付いたり、使用者が不在のためにドレン排水が落下していることに気付かなかった場合などにおいては、蒸発皿１６を取付けるまでの間、ドレン排水の一部が機械室台板３上に落下する。
【００２９】
このような場合、落下したドレン排水は、機械室台板３の脚部４を形成した凹部４ａ内及び凹状の底面７上に溜るが、支持部８を切り起こした穴９は周囲ビード１０で囲まれているので、ドレン排水が穴９から床上に落下することはない。
【００３０】
［実施の形態２］
図４は本発明の実施の形態２に係る冷蔵庫の機械室台板の斜視図である。
実施の形態１では、機械室台板３の４箇所に切り起こしにより圧縮機２０の支持部８を設けた場合を示したが、本実施の形態は、機械室台板３の４箇所に穴９ａを設け、この穴９ａに圧縮機２０を取付けるためのスタッド状の部材の下部を挿入し、例えば、スポット溶接により固定して支持部８ａを構成したものである。なお、穴９ａ（支持部８ａ）の周囲には実施の形態１の場合と同様に周囲ビード１０が設けられている。
【００３１】
本実施の形態においても、機械室台板３の脚部４を構成する凹部４ａや凹状の底面７上に、吸入管２２に発生した結露の水滴や、霜取りによって発生したドレン排水が溜った場合、支持部８ａの下部を挿入して溶接した穴９ａの周囲には周囲ビード１０が設けられているので、支持部８ａと穴９ａとの間にすき間があっても、水滴やドレン排水が浸入して床面に落下することはない。
【符号の説明】
【００３２】
１  冷蔵庫本体、３  機械室台板、４  後脚、４ａ  後脚を形成した凹部、７  凹状で平坦な底面、８，８ａ  圧縮機の支持部、９，９ａ  穴、１０  周囲ビード、１１  横ビード、１６  ドレン排水の蒸発皿、２０  圧縮機、２１  吐出管、２２  吸入管、２３  角形ターン部、２３ａ  第１の折曲げ部、２３ｂ  直線部、２３ｃ  第２の折曲げ部、２４  圧縮機の電気部品収納部、２５  運転用の電気部品収納部。
【図１】
0005414657.tif 000002
【図２】
0005414657.tif 000003
【図３】
0005414657.tif 000004
【図４】
0005414657.tif 000005
【図５】
0005414657.tif 000006